(57)【要約】【課題】固定部分データと可変部分データとを有する印刷データの印刷をプリンタに指示する際に、ユーザの利便性を向上させる。【解決手段】制御部は、印刷データ取得部と、決定部と、実行部と、を備える。印刷データ取得部は、固定部分データと可変部分データとを有する印刷データを取得する。決定部は、給紙トレイの設定であるトレイ設定と、印刷データ取得部により取得された印刷データと、に基づいて、印刷データ内のオブジェクトのうち印刷対象のオブジェクトである印刷対象オブジェクトを決定する。実行部は、決定部によって決定された印刷対象オブジェクトを、印刷部を介して給紙トレイから給紙されるシートに印刷する。【選択図】図４
2020119456.tif 000002
【特許請求の範囲】
【請求項１】
プリンタであって、
シートが収容される給紙トレイと、
印刷部と、
制御部と、を備え、
前記制御部は、
固定部分データと可変部分データとを有する印刷データを取得する印刷データ取得部であって、前記固定部分データは、前記印刷データの各ページ間で共通する部分のデータであり、前記可変部分データは、前記印刷データの各ページ間で変化し得る部分のデータである、印刷データ取得部と、
前記給紙トレイの設定であるトレイ設定と、前記印刷データ取得部によって取得された前記印刷データと、に基づいて、前記印刷データ内のオブジェクトのうち印刷対象のオブジェクトである印刷対象オブジェクトを決定する決定部と、
前記決定部によって決定された前記印刷対象オブジェクトを、前記給紙トレイから給紙される前記シートに前記印刷部を介して印刷する実行部と、
を備える、プリンタ。
【請求項２】
請求項１に記載のプリンタであって、
前記決定部は、前記トレイ設定に基づいて、前記固定部分データのみ、前記可変部分データのみ、並びに、前記固定部分データ及び前記可変部分データの両方、の少なくとも１つの中から前記印刷対象オブジェクトを決定する、プリンタ。
【請求項３】
請求項１又は請求項２に記載のプリンタであって、
前記印刷データ取得部は、前記印刷データとしてＰＤＦ／ＶＴデータを取得する、プリンタ。
【請求項４】
請求項１から請求項３までのいずれか１項に記載のプリンタであって、
前記トレイ設定は、前記給紙トレイに収容されるシートの種類の設定であるシート種類設定を含み、
前記決定部は、前記給紙トレイの前記シート種類設定がプレプリントシート作成用シートである場合には、前記固定部分データを前記印刷対象オブジェクトとして決定する、プリンタ。
【請求項５】
請求項４に記載のプリンタであって、
前記実行部は、前記給紙トレイの前記シート種類設定がプレプリントシート作成用シートであり、前記決定部が前記固定部分データを前記印刷対象オブジェクトとして決定する場合には、前記固定部分データを特色設定で前記シートに印刷する、プリンタ。
【請求項６】
請求項１から請求項５までのいずれか１項に記載のプリンタであって、
前記トレイ設定には、前記印刷対象オブジェクトを前記固定部分データのみとするか、前記可変部分データのみとするか、又は、前記固定部分データ及び前記可変部分データの両方とするか、を設定する固定可変設定が含まれ、
前記決定部は、前記給紙トレイの前記固定可変設定に従い前記印刷対象オブジェクトを決定する、プリンタ。
【請求項７】
請求項１から請求項６までのいずれか１項に記載のプリンタであって、
前記印刷データは、前記トレイ設定と、当該印刷データ内のオブジェクトの属性と、の対応関係を示す情報を含み、
前記制御部は、前記印刷データから前記対応関係を示す情報を取得する対応関係取得部を更に備え、
前記決定部は、前記対応関係取得部によって取得された前記対応関係を示す情報に従い、前記印刷データ内の、前記給紙トレイの前記トレイ設定に対応する前記属性を有する前記オブジェクトを、前記印刷対象オブジェクトとして決定する、プリンタ。
【請求項８】
シートが収容される給紙トレイと、印刷部と、制御部と、を備えるプリンタのためのコンピュータプログラムであって、
前記制御部を、
固定部分データと可変部分データとを有する印刷データを取得する印刷データ取得部であって、前記固定部分データは、前記印刷データの各ページ間で共通する部分のデータであり、前記可変部分データは、前記印刷データの各ページ間で変化し得る部分のデータである、印刷データ取得部と、
前記給紙トレイの設定であるトレイ設定と、前記印刷データ取得部によって取得された前記印刷データと、に基づいて、前記印刷データ内のオブジェクトのうち印刷対象のオブジェクトである印刷対象オブジェクトを決定する決定部と、
前記決定部によって決定された前記印刷対象オブジェクトを、前記給紙トレイから給紙される前記シートに前記印刷部を介して印刷する実行部と、
として機能させるコンピュータプログラム。
【発明の詳細な説明】
【技術分野】
【０００１】
本開示は、プリンタ及びコンピュータプログラムに関する。
【背景技術】
【０００２】
特許文献１には、印刷データを印刷する際に、１ページごとに紙面の一部が差し替えられるバリアブル印刷を行うバリアブル印刷システムが開示されている。このシステムでは、印刷データの各ページ間で共通する部分のデータである固定部分データがシートにあらかじめ印刷され、固定部分データが印刷されたシートが給紙トレイにセットされる。そして、印刷データの各ページ間で変化し得る部分のデータである可変部分データが、前記給紙トレイにセットされたシートに印刷される。
【先行技術文献】
【特許文献】
【０００３】
【特許文献１】特開２００８−６５５２６号公報
【発明の概要】
【発明が解決しようとする課題】
【０００４】
ところで、固定部分データと可変部分データとを有する印刷データの印刷において、印刷データ内のあるオブジェクトを印刷するときと別のオブジェクトを印刷するときとで印刷を分けたい場合がある。具体的には例えば、印刷データ内の固定部分データを印刷するときと可変部分データを印刷するときなどである。
【０００５】
このような場合、プリンタに印刷を指示する際に、固定部分データや可変部分データなど、印刷対象となるオブジェクトをユーザは指定しなくてはならず、ユーザにとって利便性が良いとはいえなかった。
【０００６】
本開示の一局面は、固定部分データと可変部分データとを有する印刷データの印刷をプリンタに指示する際に、ユーザの利便性を向上させることを目的としている。
【課題を解決するための手段】
【０００７】
本開示の一態様は、プリンタであって、給紙トレイと、印刷部と、制御部と、を備える。給紙トレイには、シートが収容される。制御部は、印刷データ取得部と、決定部と、実行部と、を備える。印刷データ取得部は、固定部分データと可変部分データとを有する印刷データを取得する。固定部分データは、印刷データの各ページ間で共通する部分のデータであり、可変部分データは、印刷データの各ページ間で変化し得る部分のデータである。決定部は、給紙トレイの設定であるトレイ設定と、印刷データ取得部により取得された印刷データと、に基づいて、印刷データ内のオブジェクトのうち印刷対象のオブジェクトである印刷対象オブジェクトを決定する。実行部は、決定部によって決定された印刷対象オブジェクトを、印刷部を介して給紙トレイから給紙されるシートに印刷する。
【０００８】
このような構成によれば、固定部分データと可変部分データとを有する印刷データの印刷をユーザがプリンタに指示する際にユーザが印刷対象オブジェクトを指定しなくても、トレイ設定に基づいてプリンタ側で印刷対象オブジェクトが決定される。よって、前記印刷データの印刷時にユーザが、固定部分データや可変部分データなどの印刷対象オブジェクトを指定しなくてはならない構成と比較して、ユーザの利便性を向上させることができる。
【０００９】
制御部を上記のように機能させるコンピュータプログラム、上記のプリンタを実現するための制御方法、及び、上記のコンピュータプログラムを格納するコンピュータ読取可能記憶媒体も新規で有用である。
【図面の簡単な説明】
【００１０】
【図１】図１は、印刷システムの構成を示すブロック図である。
【図２】図２は、ＰＤＦ／ＶＴデータでＸオブジェクトに含められる情報を説明するための図である。
【図３】図３は、ＰＤＦ／ＶＴデータが示す画像の一例を示す図である。
【図４】図４は、第１トレイ設定印刷処理のフローチャートである。
【図５】図５は、第２トレイ設定印刷処理のフローチャートである。
【図６】図６は、ＰＤＦ／ＶＴデータに含められるメタデータを説明するための図である。
【図７】図７は、第３トレイ設定印刷処理のフローチャートである。
【発明を実施するための形態】
【００１１】
以下、図面を参照しながら、本開示を実施するための形態を説明する。
［１．第１実施形態］
［１−１．構成］
以下、図面を参照しながら、本開示を実施するための形態を説明する。
【００１２】
［印刷システムの構成］
図１に示す印刷システム１００は、端末装置１とプリンタ２とがデータ通信可能に構成されたシステムである。
【００１３】
端末装置１は、汎用の情報処理装置であり、例えばパーソナルコンピュータ、タブレット端末、スマートフォンなどである。端末装置１は、制御部１１、入力部１２、表示部１３及び通信部１４を備える。
【００１４】
制御部１１は、端末装置１の各部を統括制御するものであり、ＣＰＵ１１１及びメモリ１１２を備える。メモリ１１２は、例えばＲＡＭ、ＲＯＭ、フラッシュメモリ等の半導体メモリである。すなわち、端末装置１は、ＣＰＵ１１１及び半導体メモリを含むマイクロコンピュータを備えている。
【００１５】
入力部１２は、ユーザからの外部操作による指令を入力するための入力装置である。例えば、入力部１２としては、キーボードや、マウスやタッチパッド等のポインティングデバイスが用いられる。
【００１６】
表示部１３は、例えば液晶ディスプレイや有機ＥＬディスプレイなどの、画像を表示可能な表示デバイスを有する。
通信部１４は、端末装置１をネットワークに接続するための通信インタフェースである。端末装置１は、通信部１４を介して、プリンタ２等の外部の装置と有線又は無線にてデータ通信可能であってもよい。また、端末装置１は、通信部１４を介してインターネットに接続し、インターネットを介して外部の装置とデータ通信可能であってもよい。端末装置１は、印刷する画像を示す印刷データを通信部１４を介してプリンタ２に送信する。
【００１７】
端末装置１から送信される印刷データは、例えばページ記述言語（Page Description Language；ＰＤＬ）で記述されたデータである。印刷データには、印刷に関する条件である印刷条件が含まれる。
【００１８】
印刷条件には、例えば、シート種類（普通紙、光沢紙、写真等。）やシートサイズなどが含まれる。また、印刷条件には、カラー設定（カラーモード印刷、モノクロモード印刷等）、印刷部数、両面印刷又は片面印刷の設定、原稿ページの範囲設定などの他の情報が含まれてもよい。また、カラー印刷の属性として、ＲＧＢ設定、ＣＭＹＫ設定、特色設定等が印刷条件に含まれてもよい。
【００１９】
一方、プリンタ２は、制御部２１、入力部２２、表示部２３、通信部２４、読取部２５、印刷部２６及び給紙トレイ２７１〜２７３を備える。
制御部２１は、プリンタ２の各部を統括制御するものであり、ＣＰＵ２１１及びメモリ２１２を備える。メモリ２１２は、例えばＲＡＭ、ＲＯＭ、フラッシュメモリ等の半導体メモリである。すなわち、プリンタ２は、ＣＰＵ２１１及び半導体メモリを含むマイクロコンピュータを備えている。
【００２０】
制御部２１は、非遷移的実体的記憶媒体に格納されたプログラムを実行することにより各種機能を実現する。本実施形態では、メモリ２１２が、プログラムを格納した非遷移的実体的記憶媒体に該当する。プリンタ２が有する各種機能は、基本的には、ＣＰＵ２１１がメモリ２１２に記憶されているプログラムを実行することにより実現される。また、メモリ２１２には、端末装置１等から送信された印刷データ等が記憶される。
【００２１】
入力部２２は、ユーザからの外部操作による指令を入力するための入力装置であり、各種操作ボタンを備える。
表示部２３は、例えば液晶ディスプレイや有機ＥＬディスプレイなどの、画像を表示可能な表示デバイスを有する。
【００２２】
通信部２４は、プリンタ２をネットワークに接続するための通信インタフェースである。プリンタ２は、通信部２４を介して、端末装置１等の外部の装置と有線又は無線にてデータ通信可能であってもよい。また、プリンタ２は、通信部２４を介してインターネットに接続し、インターネットを介して外部の装置とデータ通信可能であってもよい。
【００２３】
読取部２５は、イメージセンサを備え、原稿の画像を読み取り、読み取った画像の画像データを生成する。
印刷部２６は、インクジェット技術や電子写真技術の印刷機構を有し、シート状の記録用紙に画像を印刷することが可能である。
【００２４】
給紙トレイ（第１トレイ２７１、第２トレイ２７２及び第３トレイ２７３）は、印刷処理に使用されるシートを収容する。
本実施形態では、各給紙トレイ２７１〜２７３には、互いに異なる種類のシートが収容される。例えば、第１トレイ２７１には普通紙が収容され、第２トレイ２７２にはプレプリントシートが収容され、第３トレイ２７３にはプレプリントシート作成用シートが収容される。ここで、プレプリントシートは、罫線、枠線、企業ロゴなどがあらかじめ印刷されたシートである。換言すれば、プレプリントシートは、後述する固定部分データがあらかじめ印刷されたシートである。また、プレプリントシート作成用シートは、プレプリントシートを作成するためのシート、換言すれば、固定部分データが印刷されプレプリントシートになるシートである。
【００２５】
［プリンタの機能］
＜バリアブル印刷機能＞
プリンタ２は、バリアブル印刷と呼ばれる印刷方式で印刷が可能である。バリアブル印刷とは、印刷データを印刷する際に、１ページごとに紙面の一部が差し替えられる印刷である。バリアブル印刷は、例えば、背景が同じで宛名だけが異なるダイレクトメールや賞状などに利用される。
【００２６】
プリンタ２は、端末装置１などからバリアブル印刷用の印刷データを取得する。バリアブル印刷用の印刷データは、固定部分データと可変部分データとを有する。
固定部分データは、印刷データの各ページ間で共通する部分のデータである。可変部分データは、印刷データの各ページ間で変化し得る部分のデータである。
【００２７】
本実施形態では、プリンタ２は、バリアブル印刷用の印刷データとして、ＰＤＦ／ＶＴデータを取得する。なお、ＰＤＦはPortable Document Formatの略であり、ＶＴはVariable and Transactionalの略である。ＰＤＦ／ＶＴは、Ａｄｏｂｅ  Ｓｙｓｔｅｍｓ（登録商標）が規定するＰＤＦのサブセット仕様としてのデータフォマットである。ＰＤＦ／ＶＴは、バリアブル印刷用の標準ＰＤＦフォーマットとして、国際標準化機構（International Organization for Standardization：ＩＳＯ）にて、ＩＳＯ１６６１２−２として仕様策定中の技術である。
【００２８】
ＰＤＦ／ＶＴは、Ｘオブジェクトという描画オブジェクトに関する概念を持つことを特徴とする。Ｘオブジェクトは、描画オブジェクトを再利用オブジェクトとして定義し、ＰＤＦファイル内から再利用オブジェクトを複数回参照することを可能とする。従来のＰＤＦでは、印刷処理を行うプリンタは、印刷データに含まれている描画オブジェクトを、この描画オブジェクトが印刷データ中に出現する回数分、描画処理する必要がある。例えば、１００００ページの印刷データの全てに同一の企業ロゴが含まれる場合、プリンタは、ページごとに１００００回同じロゴデータを描画処理する必要がある。
【００２９】
一方、ＰＤＦ／ＶＴでは、Ｘオブジェクトを用いることによって、プリンタは、１ページ目に出現した再利用オブジェクトをＰＤＦデータの処理中に何度でも参照することが可能となる。すなわち、プリンタが、１ページ目に出現した再利用オブジェクトに基づいて中間データを生成し、後続のページでこの再利用オブジェクトの参照が生じた場合には、生成済みの中間データに基づいてラスタ画像を生成（ラスタライズ処理）する。これにより、プリンタは、後続のページで同一の再利用オブジェクトについて再度中間データを生成する必要がなくなり、印刷処理を効率的に実行することができるようになる。つまり、ＰＤＦ／ＶＴによれば、同一の描画オブジェクトである固定部分データを複数回印刷するバリアブル印刷を高速化することができる。
【００３０】
具体的には、図２に示すように、ＰＤＦ／ＶＴでは、Ｘオブジェクトに、ＧＴＳ＿Ｓｃｏｐｅ、ＧＴＳ＿Ｅｎｖ及びＧＴＳ＿ＸＩＤを含めることができる。
ＧＴＳ＿ＸＩＤは、すべての文書を通じて一意な識別子である。この識別子は、等価なＸオブジェクトを識別する必要があるキャッシュ処理実装で利用することができる。例えば、第１のジョブで処理済みのグラフィックが第２のジョブで再利用されることが判明した場合、再度ＲＩＰ（Raster Image Processor）処理することなく、キャッシュからラスタライズ結果を取得することが可能となる。
【００３１】
ＧＴＳ＿Ｓｃｏｐｅは、グラフィック内容が再利用されるページ群又は文書群の範囲、換言すれば、Ｘオブジェクトのスコープを表す情報である。これにより、Ｘオブジェクトは、そのレンダリング結果のキャッシュ内における有用寿命に関する情報を持つことができる。ＧＴＳ＿Ｓｃｏｐｅには、Ｇｌｏｂａｌ、ＳｉｎｇｌｅＵｓｅ、Ｒｅｃｏｒｄ、Ｆｉｌｅ、Ｊｏｂ、Ｇｌｏｂａｌ、Ｕｎｋｎｏｗｎがある。このうち、ＧＴＳ＿ＳｃｏｐｅがＳｉｎｇｌｅＵｓｅであるＸオブジェクトは、可変部分データであると判別できる。Ｕｎｋｎｏｗｎは寿命が未定義のオブジェクトである。ＧＴＳ＿ＳｃｏｐｅがＵｎｋｎｏｗｎであるＸオブジェクトは、ＰＤＦのＲＩＰプログラムでは通常可変部分データとして処理されることが多い。ＧＴＳ＿ＳｃｏｐｅがＳｉｎｇｌｅＵｓｅ及びＵｎｋｎｏｗｎ以外のＸオブジェクトは、固定部分データであると判別できる。
【００３２】
図３には、ＰＤＦ／ＶＴデータが示す画像の一例として、仮想の会社「Ｖｅｎｔｕｒｅ  Ｓｙｓｔｅｍ，  Ｉｎｃ．」の商品Ａ，Ｂ，Ｃ，Ｄの価格のリスト３が示されている。この画像に係る印刷データのうち、タイトル３１を表すＸオブジェクト、表３２を表すＸオブジェクト及び企業ロゴ３３を表すＸオブジェクトのＧＴＳ＿Ｓｃｏｐｅは、それぞれ、Ｆｉｌｅ、Ｆｉｌｅ及びＧｌｏｂａｌである。つまり、これらのＸオブジェクトを示すデータは固定部分データである。一方、文字３４を表すＸオブジェクトのＧＴＳ＿ＳｃｏｐｅはＳｉｎｇｌｅＵｓｅである。つまり、文字３４を表すＸオブジェクトを示すデータは可変部分データである。
【００３３】
タイトル３１、表３２及び企業ロゴ３３を示すＸオブジェクトは、例えば通常色設定でシートに印刷される。通常色印刷とは、Ｙ（イエロー）、Ｍ（マゼンタ）、Ｃ（シアン）及びＫ（ブラック）の４色での印刷を指す。一方、文字３４を表すＸオブジェクトは、例えばタイトル３１、表３２及び企業ロゴ３３が印刷されたシートに特色印刷で印刷される。特色印刷とは、イエロー（Ｙ）、マゼンダ（Ｍ）、シアン（Ｃ）、ブラック（Ｋ）以外の特色（例えば金色）での印刷を指す。また例えば、金箔や銀箔といった箔を用いて金属色等を再現する印刷も特色印刷に含まれる。なお、以下では、通常色印刷が実行される設定を「通常色設定」と称し、特色印刷が実行される設定を「特色設定」と称す。
【００３４】
＜トレイ設定＞
プリンタ２の制御部２１のメモリ２１２には、給紙トレイ２７１〜２７３の設定であるトレイ設定を表すトレイ設定情報が記憶されている。トレイ設定には、具体的には、各々の給紙トレイ２７１〜２７３に収容されているシートの設定が含まれる。
【００３５】
トレイ設定には、例えば、シート種類（普通紙、写真、プレプリントシート、プレプリントシート作成用シート等）の設定や各々の給紙トレイ２７１〜２７３に収容されているシートサイズの設定等が含まれる。さらに、詳細設定として、斤量やシート名称、型番、白色度などの設定がトレイ設定に含まれていてもよい。これらの設定はユーザによって入力部２２から入力される構成としてもよいし、給紙トレイ２７１〜２７３に設置されたシートを識別する図示省略するセンサなどによって自動的に検出される構成としてもよい。なお、以下では、トレイ設定のうちシート種類の設定を「シート種類設定」と称す。
【００３６】
［１−２．処理］
次に、プリンタ２の制御部２１が実行する第１トレイ設定印刷処理について、図４のフローチャートを用いて説明する。なお、第１トレイ設定印刷処理は、プリンタ２が端末装置１からＰＤＦ／ＶＴデータを受信することで開始される。
【００３７】
まず、Ｓ１０１で、制御部２１は、メモリ２１２からＰＤＦ／ＶＴデータを取得する。すなわち、端末装置１からＰＤＦ／ＶＴデータが受信されると当該ＰＤＦ／ＶＴデータは一旦メモリ２１２に記憶される。Ｓ１０１では、メモリ２１２からＰＤＦ／ＶＴデータが取得される。
【００３８】
続いて、Ｓ１０２で、制御部２１は、印刷対象トレイを決定する。具体的には、制御部２１は、端末装置１から受信されたＰＤＦ／ＶＴデータを解析すると共に、メモリ２１２からトレイ設定情報を取得する。そして、制御部２１は、ＰＤＦ／ＶＴデータ及びトレイ設定情報に基づいて、給紙トレイ２７１〜２７３のうちＰＤＦ／ＶＴデータの印刷条件に合致するシートを収容している給紙トレイを印刷対象トレイとして決定する。
【００３９】
続いて、Ｓ１０３で、制御部２１は、印刷対象トレイのシート種類設定がプレプリントシート作成用シートであるか否かを判断する。
制御部２１は、Ｓ１０３で印刷対象トレイのシート種類設定がプレプリントシート作成用シートであると判断した場合（Ｓ１０３：ＹＥＳ）には、Ｓ１０４へ移行する。
【００４０】
Ｓ１０４で、制御部２１は、Ｓ１０１で取得されたＰＤＦ／ＶＴデータ内の固定部分データを印刷対象オブジェクトに決定し、後述するＳ１０６へ移行する。
一方、制御部２１は、前述したＳ１０３で印刷対象トレイのシート種類設定がプレプリントシート作成用シートでないと判断した場合（Ｓ１０３：ＮＯ）には、Ｓ１０５へ移行する。
【００４１】
Ｓ１０５で、制御部２１は、Ｓ１０１で取得されたＰＤＦ／ＶＴデータ内の固定部分データ及び可変部分データの両方を印刷対象オブジェクトに決定し、Ｓ１０６へ移行する。
Ｓ１０６で、制御部２１は、Ｓ１０３で決定された印刷対象オブジェクトを、印刷対象トレイに収容されたシート（プレプリントシート作成用シート）に印刷部２６を介して印刷する。
【００４２】
ここで、Ｓ１０６においては、前述したＳ１０３で印刷対象トレイのシート種類設定がプレプリントシート作成用シートであると判断された場合には、特色設定で印刷対象オブジェクトである固定部分データが印刷される。一方、前述したＳ１０３で印刷対象トレイのシート種類設定がプレプリントシート作成用シートでないと判断された場合には、通常色設定で印刷対象オブジェクトである固定部分データ及び可変部分データが印刷される。
【００４３】
制御部２１は、Ｓ１０６を実行すると、図４の第１トレイ設定印刷処理を終了する。
【００４４】
［１−３．効果］
以上詳述した第１実施形態によれば、以下の効果が得られる。
（１ａ）本実施形態では、制御部２１は、給紙トレイ２７の設定であるトレイ設定と、端末装置１から取得された印刷データと、に基づいて、印刷データ内のオブジェクトのうち印刷対象のオブジェクトである印刷対象オブジェクトを決定する。そして、制御部２１は、決定された印刷対象オブジェクトを、給紙トレイ２７１〜２７３から給紙されるシートに印刷部２６を介して印刷する。
【００４５】
したがって、固定部分データと可変部分データとを有する印刷データの印刷をユーザがプリンタ２に指示する際にユーザが印刷対象オブジェクトを指定しなくても、トレイ設定に基づいてプリンタ２側で印刷対象オブジェクトが決定される。よって、前記印刷データの印刷時にユーザが印刷対象オブジェクトを指定しなくてはならない構成と比較して、ユーザの利便性を向上させることができる。
【００４６】
（１ｂ）本実施形態では、制御部２１は、トレイ設定に基づいて、固定部分データのみ、並びに、固定部分データ及び可変部分データの両方、の中から印刷対象オブジェクトを決定する。
【００４７】
したがって、ユーザがプリンタ２に印刷を指示する際に、固定部分データのみの印刷か、あるいは、固定部分データ及び可変部分データの両方の印刷かをユーザが指定しなくてもトレイ設定に基づいてプリンタ２側で上記各印刷が動的に切り替えられる。よって、ユーザの利便性を向上させることができる。
【００４８】
（１ｃ）本実施形態では、制御部２１は、固定部分データと可変部分データとを有する印刷データとしてＰＤＦ／ＶＴデータを取得する。したがって、ＰＤＦ／ＶＴデータの印刷をプリンタ２に指示する際に、ユーザの利便性を向上させることができる。
【００４９】
（１ｄ）本実施形態では、制御部２１は、印刷対象トレイのシート種類設定がプレプリントシート作成用シートである場合には、固定部分データを印刷対象オブジェクトとして決定する。
したがって、シート種類設定がプレプリントシート作成用シートである場合には、ユーザが固定部分データのみの印刷をプリンタ２に対して指定しなくても、印刷対象オブジェクトが自動的に固定部分データに決定され、固定部分データがプレプリントシート作成用シートに印刷される。よって、プリンタ２に印刷を指示する際にユーザが固定部分データのみの印刷をプリンタ２に指示しなくてはならない構成と比較して、ユーザの利便性を向上できる。
【００５０】
（１ｅ）本実施形態では、制御部２１は、Ｓ１０３でシート種類設定がプレプリントシート作成用シートであると判断し、Ｓ１０４で固定部分データを印刷対象オブジェクトとして決定する場合には、印刷対象オブジェクトの固定部分データを特色設定でシートに印刷する。
【００５１】
したがって、プレプリントシート作成用シートに固定部分データを印刷する場合において、ユーザがプリンタ２に特色設定で印刷する旨を指定しなくても、自動的に固定部分データを特色設定で印刷できる。よって、プリンタ２に印刷を指示する際にユーザが特色設定で印刷する旨を指定しなくてはならない構成と比較して、ユーザの利便性を向上させることができる。
【００５２】
なお、本実施形態では、Ｓ１０１が印刷データ取得部としての処理に相当し、Ｓ１０４及びＳ１０５が決定部としての処理に相当し、Ｓ１０６が実行部としての処理に相当する。
【００５３】
［２．第２実施形態］
［２−１．第１実施形態との相違点］
第２実施形態は、基本的な構成は第１実施形態と同様であるため、共通する構成については説明を省略し、相違点を中心に説明する。なお、第１実施形態と同じ符号は、同一の構成を示すものであって、先行する説明を参照する。
【００５４】
前述した第１実施形態では、印刷対象トレイのシート種類設定がプレプリントシート作成用シートであるか否かの判断結果に基づき、印刷対象オブジェクトが決定される。これに対し、第２実施形態では、プリンタ２の各給紙トレイ２７１〜２７３のトレイ設定に、固定部分データのみの印刷、可変部分データのみの印刷等の設定が含まれる。そして、印刷対象トレイの前記設定に従い印刷対象オブジェクトが決定される点で、第１実施形態と相違する。以下、具体的に説明する。
【００５５】
第２実施形態の印刷システム１００のハードウェア構成は、第１実施形態と基本的には同様である。一方、プリンタ２のトレイ設定が第１実施形態と一部相違する。
第２実施形態のトレイ設定には、第１実施形態のトレイ設定の各種設定に加え、ＶＴ印刷設定なる設定が更に含まれる。ＶＴ印刷設定は、給紙トレイ２７１〜２７３ごとに設定可能である。ＶＴ印刷設定は、プリンタ２がＰＤＦ／ＶＴデータ、ひいてはバリアブル印刷用の印刷データを受信した場合において、その給紙トレイが印刷対象トレイに決定された場合に、固定部分データのみ、可変部分データのみ、並びに、固定部分データ及び可変部分データの両方、のいずれを印刷対象オブジェクトに決定するかを指定する設定である。具体的には、ＶＴ印刷設定には、固定部分データのみを印刷対象オブジェクトに決定する固定部分印刷設定、可変部分データのみを印刷対象オブジェクトに決定する可変部分印刷設定、並びに、固定部分データ及び可変部分データの両方を印刷対象オブジェクトに決定する両方印刷設定、の３つの設定が含まれる。
【００５６】
また、第２実施形態では、プリンタ２の制御部２１が実行する処理が第１実施形態と相違する。
［２−２．処理］
次に、第２実施形態のプリンタ２の制御部２１が、第１実施形態の第１トレイ設定印刷処理（図４）に代えて実行する第２トレイ設定印刷処理について、図５のフローチャートを用いて説明する。なお、第２トレイ設定印刷処理は、プリンタ２が端末装置１からＰＤＦ／ＶＴデータを受信することで開始される。
【００５７】
Ｓ２０１〜Ｓ２０２は、前述した図４のＳ１０１〜Ｓ１０２と同様の処理であるため、説明を省略する。
続いて、Ｓ２０３で、制御部２１は、印刷対象トレイのトレイ設定（具体的にはＶＴ印刷設定）を判別する。
【００５８】
制御部２１は、Ｓ２０３で印刷対象トレイのトレイ設定が固定部分印刷設定であると判別する場合には、Ｓ２０４へ移行し、Ｓ２０１で取得されたＰＤＦ／ＶＴデータの固定部分データを印刷対象オブジェクトに決定する。その後、制御部１１は、後述するＳ２０７へ移行する。
【００５９】
一方、制御部２１は、前述したＳ２０３で印刷対象トレイのトレイ設定が可変部分印刷設定であると判別する場合には、Ｓ２０５へ移行し、Ｓ２０１で取得されたＰＤＦ／ＶＴデータの可変部分データを印刷対象オブジェクトに決定する。その後、制御部１１は、後述するＳ２０７へ移行する。
【００６０】
一方、制御部２１は、前述したＳ２０３で印刷対象トレイのトレイ設定が両方印刷設定であると判別する場合には、Ｓ２０６へ移行し、Ｓ２０１で取得されたＰＤＦ／ＶＴデータの固定部分データ及び可変部分データの両方を印刷対象オブジェクトに決定する。その後、制御部１１は、Ｓ２０７へ移行する。
【００６１】
Ｓ２０７で、制御部２１は、Ｓ２０４、Ｓ２０５又はＳ２０６で決定された印刷対象オブジェクトを、印刷対象トレイに収容されたシートに印刷する。
ここで、制御部２１は、前述したＳ２０４で固定部分データを印刷対象オブジェクトに決定した場合には、特色設定で印刷対象オブジェクト（固定部分データ）をシートに印刷する。
【００６２】
一方、制御部２１は、前述したＳ２０５で可変部分データを印刷対象オブジェクトに決定した場合には、通常色設定で印刷対象オブジェクト（可変部分データ）をシートに印刷する。また、制御部２１は、前述したＳ２０６で固定部分データ及び可変部分データの両方を印刷対象オブジェクトに決定した場合にも、通常色設定で印刷対象オブジェクト（固定部分データ及び可変部分データ）をシートに印刷する。
【００６３】
制御部２１は、Ｓ２０７を実行すると、図５の第２トレイ設定印刷処理を終了する。
［２−３．効果］
以上詳述した第２実施形態によれば、前述した第１実施形態の効果（１ａ）〜（１ｃ）に加え、以下の効果が得られる。
【００６４】
（２ａ）本実施形態では、トレイ設定にはＶＴ印刷設定が含まれる。そして、制御部２１は、印刷対象トレイのＶＴ印刷設定に従い印刷対象オブジェクトを決定する。
したがって、任意の給紙トレイのＶＴ印刷設定を適宜設定することにより、任意の給紙トレイで固定部分データのみ、可変部分データのみ、又は、固定部分データ及び可変部分データの両方、の印刷が可能となる。よって、トレイ設定にＶＴ印刷設定が含まれない構成と比較して、ユーザの利便性を向上できる。
【００６５】
（２ｂ）本実施形態では、制御部２１は、トレイ設定に基づいて、固定部分データのみ、可変部分データのみ、並びに、固定部分データ及び可変部分データの両方、の中から印刷対象オブジェクトを決定する。
【００６６】
したがって、ユーザがプリンタ２に印刷を指示する際に、固定部分データのみの印刷か、可変部分データのみの印刷か、あるいは、固定部分データ及び可変部分データの両方の印刷かをユーザが指定しなくてもトレイ設定に基づいてプリンタ２側で上記各印刷が動的に切り替えられる。よって、ユーザの利便性を向上させることができる。
【００６７】
なお、本実施形態では、ＶＴ印刷設定が固定可変設定に相当し、Ｓ２０１が印刷データ取得部としての処理に相当し、Ｓ２０４〜Ｓ２０６が決定部としての処理に相当し、Ｓ２０７が実行部としての処理に相当する。
【００６８】
［３．第３実施形態］
［３−１．第１実施形態との相違点］
第３実施形態は、基本的な構成は第１実施形態と同様であるため、共通する構成については説明を省略し、相違点を中心に説明する。なお、第１実施形態と同じ符号は、同一の構成を示すものであって、先行する説明を参照する。
【００６９】
前述した第１実施形態では、印刷対象トレイのシート種類設定がプレプリントシート作成用シートであるか否かの判断結果に基づき、印刷対象オブジェクトが決定される。これに対し、第３実施形態では、印刷データ内の各オブジェクトについて、印刷対象トレイがどのようなトレイ設定のときに当該オブジェクトが印刷されるのかを指定する情報が、印刷データ内にメタデータとして埋め込まれる。そして、当該メタデータと、印刷対象トレイのトレイ設定と、に基づき、印刷対象オブジェクトが決定される点で、第１実施形態と相違する。以下、具体的に説明する。
【００７０】
第３実施形態の印刷システム１００のハードウェア構成は、第１実施形態と基本的には同様である。一方、端末装置１からプリンタ２に送信される印刷データが第１実施形態と相違する。
【００７１】
端末装置１から送信されるＰＤＦ／ＶＴデータには、図６に示すようなメタデータが含まれる。このメタデータは、トレイ設定と、当該ＰＤＦ／ＶＴデータ内の各Ｘオブジェクトの属性と、の対応関係を示す情報である。メタデータに含まれるトレイ設定としてはシート種類設定、具体的には、プレプリントシート作成用シート（ｐｒｅｐｒｉｎｔ）、プレプリントシート（ｐｒｅｐｒｉｎｔｅｄ）、その他（ｏｔｈｅｒ）が想定される。また、メタデータに含まれるＸオブジェクトの属性としては、前述したＧＴＳ＿Ｓｃｏｐｅが想定される。
【００７２】
図６に示すメタデータでは、符号６１で示されるように、シート種類設定のプレプリントシート作成用シート（ｐｒｅｐｒｉｎｔ）と、Ｘオブジェクトの属性のＧＴＳ＿Ｓｃｏｐｅ「Ｇｌｏｂａｌ」と、が対応付けられている。また、符号６２で示されるように、シート種類設定のプレプリントシート（ｐｒｅｐｒｉｎｔｅｄ）と、Ｘオブジェクトの属性のＧＴＳ＿Ｓｃｏｐｅ「ＳｉｎｇｌｅＵｓｅ」、「Ｆｉｌｅ」、「Ｊｏｂ」及び「Ｒｅｃｏｒｄ」と、が対応付けられている。また、符号６３で示されるように、シート種類設定のその他（ｏｔｈｅｒ）と、Ｘオブジェクトの属性のＧＴＳ＿Ｓｃｏｐｅ「Ｇｌｏｂａｌ」、「ＳｉｎｇｌｅＵｓｅ」、「Ｆｉｌｅ」、「Ｊｏｂ」及び「Ｒｅｃｏｒｄ」と、が対応付けられている。
【００７３】
以下では、メタデータにおいてシート種類設定のプレプリントシート作成用シート（ｐｒｅｐｒｉｎｔ）に対応付けられたＸオブジェクトの属性を「プレプリント属性」、シート種類設定のプレプリントシート（ｐｒｅｐｒｉｎｔｅｄ）に対応付けられたＸオブジェクトの属性を「プレプリント済み属性」、シート種類設定のその他（ｏｔｈｅｒ）に対応付けられたＸオブジェクトの属性を「他属性」とそれぞれ称す。
【００７４】
なお、図６に示すメタデータのように、あるトレイ設定（具体的にはシート種類設定）には、一般にはＸオブジェクトの複数の属性が対応付けられる。また、少なくとも１つのＸオブジェクトの属性（例えばＧｌｏｂａｌ）は異なるトレイ設定（具体的にはシート種類設定）に共通して対応付けられる。本実施形態では、このようなメタデータがＰＤＦ／ＶＴデータ１つにつき１ずつ含まれている。
【００７５】
また、第３実施形態では、プリンタ２の制御部２１が実行する処理が第１実施形態と相違する。
［３−２．処理］
次に、第３実施形態のプリンタ２の制御部２１が、第１実施形態の第１トレイ設定印刷処理（図４）に代えて実行する第３トレイ設定印刷処理について、図７のフローチャートを用いて説明する。なお、第３トレイ設定印刷処理は、プリンタ２が端末装置１からＰＤＦ／ＶＴデータを受信することで開始される。
【００７６】
Ｓ３０１〜Ｓ３０２は、前述した図４のＳ１０１〜Ｓ１０２と同様の処理であるため、説明を省略する。
続いて、Ｓ３０３で、制御部２１は、Ｓ３０１で取得されたＰＤＦ／ＶＴデータからメタデータを取得する。
【００７７】
続いて、Ｓ３０４で、制御部２１は、Ｓ３０２で決定された印刷対象トレイのトレイ設定（シート種類設定）がプレプリントシート作成用シートであるか否かを判断する。
制御部２１は、Ｓ３０４で印刷対象トレイのトレイ設定がプレプリントシート作成用シートであると判断した場合（Ｓ３０４：ＹＥＳ）には、Ｓ３０５へ移行し、メタデータからプレプリント属性を取得した後、後述するＳ３０９へ移行する。
【００７８】
一方、制御部２１は、前述したＳ３０４で印刷対象トレイのトレイ設定がプレプリントシート作成用シートでないと判断した場合（Ｓ３０４：ＮＯ）には、Ｓ３０６へ移行し、印刷対象トレイのトレイ設定（シート種類設定）がプレプリントシートであるか否かを判断する。
【００７９】
制御部２１は、Ｓ３０６で印刷対象トレイのトレイ設定がプレプリントシートであると判断した場合（Ｓ３０６：ＹＥＳ）には、Ｓ３０７へ移行し、メタデータからプレプリント済み属性を取得した後、後述するＳ３０９へ移行する。
【００８０】
一方、制御部２１は、前述したＳ３０６で印刷対象トレイのトレイ設定がプレプリントシートでないと判断した場合（Ｓ３０６：ＮＯ）には、Ｓ３０８へ移行し、メタデータから他属性を取得した後、Ｓ３０９へ移行する。
【００８１】
以下に説明するＳ３０９〜Ｓ３１１は、Ｓ３０１で取得されたＰＤＦ／ＶＴデータ内のＸオブジェクトの数の分だけ繰り返される。具体的には、制御部２１は、まずＰＤＦ／ＶＴデータ内に含まれるＸオブジェクトの中からＸオブジェクトを１つ選択し、そのＸオブジェクトを「対象Ｘオブジェクト」に設定する。そして、その対象ＸオブジェクトについてＳ３０９〜Ｓ３１１の処理が終了すると、次のＸオブジェクトを対象Ｘオブジェクトに設定し、再度Ｓ３０９〜Ｓ３１１を実行する。このようにして制御部２１は、ＰＤＦ／ＶＴデータ内の全てのＸオブジェクトについてＳ３０９〜Ｓ３１１を実行する。
【００８２】
Ｓ３０９で、制御部２１は、対象Ｘオブジェクトの属性（ＧＴＳ＿Ｓｃｏｐｅ）を取得する。
続いて、Ｓ３１０で、制御部２１は、Ｓ３０９で取得された対象Ｘオブジェクトの属性が、メタデータから取得された属性に含まれるか否かを判断する。具体的には、制御部２１は、前述したＳ３０５でメタデータからプレプリント属性を取得した場合には、対象Ｘオブジェクトの属性がプレプリント属性に含まれるか否かを判断する。また、制御部２１は、前述したＳ３０７でメタデータからプレプリント済み属性を取得した場合には、対象Ｘオブジェクトの属性がプレプリント済み属性に含まれるか否かを判断する。また、制御部２１は、前述したＳ３０８でメタデータから他属性を取得した場合には、対象Ｘオブジェクトの属性が他属性に含まれるか否かを判断する。
【００８３】
制御部２１は、Ｓ３１０で対象Ｘオブジェクトの属性が、メタデータから取得された属性に含まれると判断した場合（Ｓ３１０：ＹＥＳ）には、Ｓ３１１へ移行する。
Ｓ３１１で、制御部２１は、対象Ｘオブジェクトを印刷対象オブジェクトに決定するとともに、対象Ｘオブジェクトに対してＲＩＰ処理を実行する。
【００８４】
一方、制御部２１は、Ｓ３１０で対象Ｘオブジェクトの属性が、メタデータから取得された属性に含まれないと判断した場合（Ｓ３１０：ＮＯ）には、前述したＳ３１１を実行しない。このように、属性がメタデータから取得された属性（すなわち、印刷対象トレイのトレイ設定に対応する属性）に含まれるＸオブジェクトのみが印刷対象オブジェクトに決定される。
【００８５】
制御部２１は、ＰＤＦ／ＶＴデータ内のＸオブジェクトの数の分だけＳ３０９〜Ｓ３１１を実行すると、Ｓ３１２へ移行し、Ｓ３１１でＲＩＰ処理が実行されたＸオブジェクトを印刷部２６を介して印刷する。その後、制御部２１は、図７の第３トレイ設定印刷処理を終了する。
【００８６】
［３−３．効果］
以上詳述した第３実施形態によれば、前述した第１実施形態の効果（１ａ）〜（１ｃ）に加え、以下の効果が得られる。
【００８７】
本実施形態では、制御部２１は、ＰＤＦ／ＶＴデータからトレイ設定とＸオブジェクトの属性との対応関係を示すメタデータを取得する。そして、制御部２１は、取得されたメタデータに従い、ＰＤＦ／ＶＴデータ内の、印刷対象トレイのトレイ設定に対応する属性を有するＸオブジェクトを、印刷対象オブジェクトとして決定する。
【００８８】
したがって、端末装置１からＰＤＦ／ＶＴデータをプリンタ２に送信する場合において、どのようなトレイ設定（シート種別設定）の場合にどのような属性のＸオブジェクトが印刷されるかを端末装置１側で指定できる。よって、端末装置１のユーザがプリンタ２のトレイ設定を把握していなくても、当該ユーザが意図したＸオブジェクトを印刷することができる。
【００８９】
また、本実施形態では、メタデータに含まれるトレイ設定とＸオブジェクトの属性との対応関係を端末装置１のユーザが適宜設定することができる。これにより、トレイ設定に応じて印刷データ内のどのオブジェクトを印刷するかをＸオブジェクト単位でユーザが決定できる。換言すれば、印刷データ内のどのオブジェクトを印刷するかを高い自由度を持って決定できる。
【００９０】
なお、本実施形態では、メタデータがトレイ設定と印刷データ内のオブジェクトの属性との対応関係を示す情報に相当し、Ｓ３０１が印刷データ取得部としての処理に相当し、Ｓ３０３が対応関係取得部としての処理に相当し、Ｓ３１１が決定部としての処理に相当し、Ｓ３１２が実行部としての処理に相当する。
【００９１】
［４．他の実施形態］
以上、本開示を実施するための形態について説明したが、本開示は前述の実施形態に限定されることなく、種々変形して実施することができる。
【００９２】
（１）上記各実施形態においては、印刷データは、ＰＤＦ／ＶＴデータ以外のバリアブル印刷用の印刷データであってもよい。
（２）前述した第１トレイ設定印刷処理、第２トレイ設定印刷処理及び第３トレイ設定印刷処理を同一のプリンタで実行してもよい。この場合において例えば、プリンタは、第１トレイ設定印刷処理を実行するモード、第２トレイ設定印刷処理を実行するモード及び第３トレイ設定印刷処理を実行するモードが切替え可能に構成されていてもよい。
【００９３】
（３）上記各実施形態では、固定部分データがシートに印刷されるときは当該固定部分データは特色設定で印刷されるが、固定部分データの印刷の仕方はこれに限られない。例えば、固定部分データは、通常色設定等、特色設定以外の設定で印刷されもよい。
【００９４】
（４）上記各実施形態において、給紙トレイの数は、１つ又は３つ以外の複数であってもよい。
（５）上記第３実施形態では、メタデータにおいてトレイ設定のシート種類設定とＸオブジェクトの属性のＧＴＳ＿Ｓｃｏｐｅとが対応付けられるが、対応付けられる情報はこれに限られるものではない。例えば、トレイ設定に含まれる設定のうちシート種類設定以外の設定がＸオブジェクトの属性と対応付けられてもよい。また例えば、Ｘオブジェクトの属性のうちＧＴＳ＿Ｓｃｏｐｅ以外の属性がトレイ設定に対応付けられてもよい。
【００９５】
（６）上記各実施形態で、プリンタ２の制御部２１が実行する機能の一部又は全部を、１つあるいは複数のＩＣ等によりハードウェア的に構成してもよい。
（７）上記各実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記各実施形態の構成の一部を省略してもよい。また、上記各実施形態の構成の少なくとも一部を、他の上記各実施形態の構成に対して付加又は置換してもよい。なお、特許請求の範囲に記載した文言によって特定される技術思想に含まれるあらゆる態様が本開示の実施形態である。
【符号の説明】
【００９６】
１…端末装置、２…プリンタ、１１…プリンタの制御部、１６…印刷部、２１…制御部、
２６…印刷部、２７…給紙トレイ、１００…印刷システム。
【図１】
2020119456.tif 000003
【図２】
2020119456.tif 000004
【図３】
2020119456.tif 000005
【図４】
2020119456.tif 000006
【図５】
2020119456.tif 000007
【図６】
2020119456.tif 000008
【図７】
2020119456.tif 000009